(57)【要約】ここに記載するのは挿込式コネクタ（１）と相手側挿込式コネクタ（７）とから成る挿込式コネクタセットであり、前記挿込式コネクタ（１）及び前記相手側挿込式コネクタ（７）の各々が、絶縁体ハウジング（２、８）と、該絶縁体ハウジング（２、８）の中に装備された複数の電極部材（５、１０）とを有しており、前記挿込式コネクタ（１）及び前記相手側挿込式コネクタ（７）は、それらが互いに挿込結合されたときにそれらに装備された前記電極部材（５、１０）どうしが電気接続する互いに対応するコネクタとして構成されており、前記絶縁体ハウジング（２、８）は、前記挿込式コネクタ（１）と前記相手側挿込式コネクタ（７）との相対位置が、唯一の挿込可能相対位置にあるときにのみ、前記挿込式コネクタ（１）と前記相手側挿込式コネクタ（７）との挿込結合を許容するコーディング輪郭形状を有する。前記挿込式コネクタ（１）及び前記相手側挿込式コネクタ（７）は少なくとも２つの機能セクション（１１ａ、１１ｂ、１１ｃ）を有している。それら機能セクションの各々が、１つの絶縁体ハウジング部分の中に互いに隣接して配設された少なくとも２つの電極部材（５、１０）を有しており、互いに隣り合う２つの機能セクション（１１ａ、１１ｂ、１１ｃ）に亘って互いに隣り合う電極部材（５、１０）どうしの間の間隔を、個々の機能セクションの中において互いに隣り合う電極部材（５、１０）どうしの間の間隔とは異ならせてある。【選択図】図２
2015516655.tif 000002
【特許請求の範囲】
【請求項１】
挿込式コネクタ（１）と相手側挿込式コネクタ（７）とから成る挿込式コネクタセットであって、前記挿込式コネクタ（１）及び前記相手側挿込式コネクタ（７）の各々が、絶縁体ハウジング（２、８）と、該絶縁体ハウジング（２、８）の中に配置された複数の電極部材（５、１０）とを有しており、前記挿込式コネクタ（１）及び前記相手側挿込式コネクタ（７）は、前記挿込式コネクタ（１）及び前記相手側挿込式コネクタ（７）が互いに挿込結合されたときに前記挿込式コネクタ（１）及び前記相手側挿込式コネクタ（７）に配置された前記電極部材（５、１０）どうしが電気的に接続する、互いに対応するコネクタとして構成されており、前記絶縁体ハウジング（２、８）は、前記挿込式コネクタ（１）と前記相手側挿込式コネクタ（７）との相対位置が、唯一の挿込可能相対位置にあるときにのみ、前記挿込式コネクタ（１）と前記相手側挿込式コネクタ（７）との挿込結合を許容するコーディング輪郭形状を有する、挿込式コネクタセットにおいて、
前記挿込式コネクタ（１）及び／または前記相手側挿込式コネクタ（７）は少なくとも２つの機能セクション（１１ａ、１１ｂ、１１ｃ）を有しており、前記少なくとも２つの機能セクションの各々が、１つの絶縁体ハウジング部分の中に互いに隣接して配設された少なくとも２つの電極部材（５、１０）を有しており、互いに隣り合う２つの機能セクション（１１ａ、１１ｂ、１１ｃ）の互いに隣り合う電極部材（５、１０）どうしの間の間隔は、前記機能セクションの各々の中において互いに隣り合う電極部材（５、１０）どうしの間の間隔とは異なる、
ことを特徴とする挿込式コネクタセット。
【請求項２】
前記挿込式コネクタ（１）の前記絶縁体ハウジング（２）は、該絶縁体ハウジング（２）の所要輪郭形状を有する外壁部により形成された複数のボックス穴（３）と、それらボックス穴（３）の内部空間に設けられて挿込方向へ突出しており所要輪郭形状を有する複数のコーディング突起（４）とを備えており、前記相手側挿込式コネクタ（７）の前記絶縁体ハウジング（８）は、前記複数の所要輪郭形状を有するコーディング突起（４）のうちの対応するコーディング突起が唯一の挿込可能位置において嵌合するようにした複数のコーディング穴（９）を備えていることを特徴とする請求項１記載の挿込式コネクタセット。
【請求項３】
前記複数の電極部材（５）は部分的に前記複数のコーディング突起（４）に受け入れられていることを特徴とする請求項２記載の挿込式コネクタセット。
【請求項４】
前記複数のコーディング突起（４）は、前記複数の電極部材（５）が並ぶ方向に延在する長手方向延在部（３２）と、当該方向に対して直交する方向に延在する幅方向延在部（３３）とを有しており、前記横方向延在部（３３）を前記長手方向延在部（３２）の左側、中央、または右側に設けることでコーディングが行われるようにしてあることを特徴とする請求項２又は３記載の挿込式コネクタセット。
【請求項５】
前記相手側挿込式コネクタ（７）の前記機能セクション（１１ａ、１１ｂ、１１ｃ）の前記絶縁体ハウジング部分どうしが連結部（１２）を介して互いに連結されており、前記挿込式コネクタ（１）の前記機能セクション（１１ａ、１１ｂ、１１ｃ）の前記絶縁体ハウジング部分の外壁部には、前記連結部（１２）に対応した切欠部（６）が形成されており、該切欠部（６）は、前記挿込式コネクタ（１）と前記相手側挿込式コネクタ（７）とが唯一の挿込可能位置において挿込結合される際に、該切欠部（６）に対応した前記連結部（１２）を収容できるようにしたものであることを特徴とする請求項１乃至４の何れか１項記載の挿込式コネクタセット。
【請求項６】
前記複数の電極部材（５、１０）は、互いに対向した一対の挟持突片（１４）を有する二叉形電極部材（１０）と、該二叉形電極部材に対応した平板形の刃状電極部材（５）とが対を成すように構成されていることを特徴とする請求項１乃至５の何れか１項記載の挿込式コネクタセット。
【請求項７】
前記二叉形電極部材（１０）は、該二叉形電極部材（１０）を備える記絶縁体ハウジング（８）の中に、挿込方向に対して直交する方向に並べられており、前記刃状電極部材（５）は挿込結合に際して、前記二叉形電極部材の一対の挟持突片の間に画成された間隙へ、前記一対の挟持突片が画定する平面に対して直交する方向から挿入されることを特徴とする請求項６記載の挿込式コネクタセット。
【請求項８】
前記絶縁体ハウジング（２、８）は、保護接地電極（ＰＥ極）の近傍領域において、他の領域と比べて長い寸法を有することを特徴とする請求項１乃至７の何れか１項記載の挿込式コネクタセット。
【請求項９】
挿込式コネクタ（１）と相手側挿込式コネクタ（７）とから成る挿込式コネクタセットであって、前記挿込式コネクタ（１）及び前記相手側挿込式コネクタ（７）の各々が絶縁体ハウジング（２、８）を有しており、前記絶縁体ハウジング（２、８）の所要輪郭形状を有する外壁部によって複数のボックス穴（３、２２）が形成されており、前記絶縁体ハウジング（２、８）の中に複数の電極部材（５、１０）が配置されており、前記挿込式コネクタ（１）及び前記相手側挿込式コネクタ（７）は、前記挿込式コネクタ（１）及び前記相手側挿込式コネクタ（７）が互いに挿込結合されたときに前記挿込式コネクタ（１）及び前記相手側挿込式コネクタ（７）に配置された前記電極部材（５、１０）どうしが電気的に接続する、互いに対応するコネクタとして構成されており、前記絶縁体ハウジング（２、８）は、唯一の挿込可能位置にあるときにのみ前記挿込式コネクタ（１）及び前記相手側挿込式コネクタ（７）が互いに挿込結合されることを許容するコーディング形状を有する、挿込式コネクタセットにおいて、
前記挿込式コネクタ（１）の前記絶縁体ハウジング（２）は、前記複数のボックス穴（３）の内部空間に設けられて挿込方向へ突出しており所要輪郭形状を有する複数のコーディング突起（４）を備えており、前記相手側挿込式コネクタ（７）の前記絶縁体ハウジング（８）は、前記複数のボックス穴（２２）の内部空間に、前記複数の所要輪郭形状を有するコーディング突起（４）のうちの対応するコーディング突起が唯一の挿込可能位置において嵌合するようにした複数のコーディング穴（９）を備えている、
ことを特徴とする挿込式コネクタセット。
【請求項１０】
前記ボックス穴（３、２２）に、別体の部材として形成された挿込可能なコーディング部材（３４）が取り付けられることを特徴とする請求項１乃至９の何れか１項記載の挿込式コネクタセット。
【請求項１１】
請求項１乃至１０の何れか１項記載の挿込式コネクタセットのための挿込式コネクタ（１）において、
該挿込式コネクタ（１）は少なくとも２つの機能セクション（１１ａ、１１ｂ、１１ｃ）を有しており、前記少なくとも２つの機能セクションの各々が、１つの絶縁体ハウジング部分の中に互いに隣接して配設された少なくとも２つの電極部材（５）を有しており、互いに隣り合う２つの機能セクション（１１ａ、１１ｂ、１１ｃ）の互いに隣り合う電極部材どうしの間の間隔は、前記機能セクション（１１ａ、１１ｂ、１１ｃ）の各々の中において互いに隣り合う電極部材（５）どうしの間の間隔とは異なる、
ことを特徴とする挿込式コネクタ（１）。
【請求項１２】
請求項１乃至９の何れか１項記載の挿込式コネクタセットのための相手側挿込式コネクタ（７）において、
該相手側挿込式コネクタ（７）は少なくとも２つの機能セクション（１１ａ、１１ｂ、１１ｃ）を有しており、前記少なくとも２つの機能セクションの各々が、１つの絶縁体ハウジング部分の中に互いに隣接して配設された少なくとも２つの電極部材（１０）を有しており、互いに隣り合う２つの機能セクション（１１ａ、１１ｂ、１１ｃ）の互いに隣り合う電極部材（１０）どうしの間の間隔は、前記機能セクション（１１ａ、１１ｂ、１１ｃ）の各々の中において互いに隣り合う電極部材（１０）どうしの間の間隔とは異なる、
ことを特徴とする相手側挿込式コネクタ（７）。
【請求項１３】
外周部が所要輪郭形状を有する絶縁体ハウジング（２）と該絶縁体ハウジング（２）の中に配置された複数の電極部材（５）とを備え、前記絶縁体ハウジング（２）の外壁部に所要輪郭形状を有する複数のボックス穴（３）が形成されている、挿込式コネクタ（１）において、
前記ボックス穴（３、２２）の中に挿込可能なコーディング部材（３４）を備えており、該コーディング部材（３４）は少なくとも１つの突出したコーディング突起（３６）を有している、
ことを特徴とする挿込式コネクタ（１）。
【発明の詳細な説明】
【技術分野】
【０００１】
本発明は挿込式コネクタと相手側挿込式コネクタとから成る挿込式コネクタセットに関する、この挿込式コネクタセットは、前記挿込式コネクタ及び前記相手側挿込式コネクタの各々が、絶縁体ハウジングと、該絶縁体ハウジングの中に装備された複数の電極部材とを有しており、前記挿込式コネクタ及び前記相手側挿込式コネクタは、それらが互いに挿込結合されたときにそれらに装備された前記電極部材どうしが電気接続する互いに対応するコネクタとして構成されており、前記絶縁体ハウジングは、前記挿込式コネクタと前記相手側挿込式コネクタとの相対位置が、唯一の挿込可能相対位置にあるときにのみ、前記挿込式コネクタと前記相手側挿込式コネクタとの挿込結合を許容するコーディング輪郭形状を有するものである。
【０００２】
本発明は更に、挿込式コネクタ、及び、挿込式コネクタに対応した相手側挿込式コネクタに関する。また、本発明は更に、外周部が所要輪郭形状を有する絶縁体ハウジングと該絶縁体ハウジングの中に装備された複数の電極部材とを備え、該絶縁体ハウジングの外壁部に所要輪郭形状を有する複数のボックス穴が形成されている挿込式コネクタに関する。
【背景技術】
【０００３】
挿込式コネクタとその挿込式コネクタに対応した相手側挿込式コネクタとから成るこの種の挿込式コネクタセットとしては、様々な形態のものが公知となっている。
【０００４】
ドイツ特許公開公報DE 10 2008 049 574 A1には、接続電極装置と挿込式電気コネクタとから成る挿込式電気コネクタセットが開示されており、このコネクタセットは、挿込式電気コネクタを接続電極装置に電気接続するためのものであって、不適切な接続を防止するためのコーディングシステムが装備されている。そのコーディングシステムは互いに独立した３個のコーディング装置から成る。個々のコーディング装置は、接続電極装置のハウジングの挿込凹部と、挿込式電気コネクタのハウジングの挿込凸部とで構成され、それら挿込凹部の形状と挿込凸部の形状とを、互いに対応する非対称形状とすることでコーディングが行われる。これに加えて更に、凸条と凹溝とを利用したコーディング装置を用いることも提案されており、このコーディング装置は、絶縁体ハウジングの外壁部に形成されているボックス穴に、コーディング凸条及びコーディング凹溝を設けるようにしたものである。また更に、挿し替え可能な輪郭形成部材を利用したコーディング装置を用いることも提案されており、これは、挿込式コネクタのボックス穴に、及び／または、接続電極装置のボックス穴に、輪郭形成部材から成るコーディング片を任意に挿入するようにしたものである。
【０００５】
また、ヨーロッパ特許公報EP 1 841 014 B1には、突出した管状部にボックス穴が形成された電気コネクタが開示されて公知となっている。誤った挿込接続が行われるのを防止するために、ボックス穴を閉塞する閉塞部材を管状部に装着するようにしている。相手側挿込式コネクタにも同様にボックス穴が形成されており、径方向拡大部を備えたコーディング片を閉塞部材として装着するようにしている。このコーディング片はプライヤーを使用して取外すことができ、それによって個々にコーディングを行えるようにしている。
【発明の概要】
【発明が解決しようとする課題】
【０００６】
本発明は以上の事情に鑑み成されたものであり、本発明の目的は挿込式コネクタと相手側挿込式コネクタとから成る改良した挿込式コネクタセットを提供することにあり、この挿込式コネクタセットは、複数の機能セクションを様々に組合せて用いる場合でも誤った挿込接続を防止することができ、また特に、極数が様々に異なり、機能セクションの組合せも様々に異なるシステムにおける、挿込位置がずれた不適切な挿込結合を防止することができる挿込式コネクタセットである。
【課題を解決するための手段】
【０００７】
上記目的は、請求項１に記載した特徴を備えた挿込式コネクタと相手側挿込式コネクタとから成る挿込式コネクタセットによって達成され、また、かかる挿込式コネクタセットに関する挿込式コネクタ及び相手側挿込式コネクタによって達成される。
【０００８】
従属請求項は本発明の特に有利な実施の形態を記載したものである。
【０００９】
ここに提案する挿込式コネクタセットは、請求項１の前提部分に記載した種類の挿込式コネクタセットにおいて、前記挿込式コネクタ及び／または前記相手側挿込式コネクタは少なくとも２つの機能セクションを有しており、それら機能セクションの各々が、１つの絶縁体ハウジング部分の中に互いに隣接して配設された少なくとも２つの電極部材を有しており、互いに隣り合う２つの機能セクションに亘って互いに隣り合う電極部材どうしの間の間隔を、個々の機能セクションの中において互いに隣り合う電極部材どうしの間の間隔とは異ならせてあることを特徴とする。
【００１０】
この構成によれば、挿込式コネクタの挿込位置が、ある１つの機能セクションに割当てられているハウジング部分からずれてしまい、その挿込式コネクタが、機能セクションの境界を跨いで、互いに隣接する２つの機能セクションに亘って挿込結合されてしまうことが確実に防止される。そのための手段として、１つの機能セクションの中におけるピッチを考慮して、２つの機能セクションに亘る電極部材どうしの間のピッチを個々の機能セクションの中における電極部材どうしの間のピッチとは異ならせているのである。
【００１１】
そのような機能セクションとしては、例えば、互いに隣接された少なくとも２つの電極部材を備え、それら電極部材を電源電圧の供給のために使用している機能セクションや、同じく互いに隣接して配設された少なくとも２つの電極部材を備え、それら電極部材をデータ線の接続のために使用している機能セクションなどがある。２つの機能セクションに亘る電極部材どうしの間のピッチを、個々の機能セクションの中における電極部材どうしの間のピッチとは異ならせてあるため、接続網から供給される電源電圧が印加されている機能セクションが、データの供給に使用されていて高電圧が印加されたならば被害を受ける機能セクションに挿込接続されることも、またそれとは逆に、データの供給に使用されている機能セクションが電源電圧を印加すべき機能セクションに挿込接続されることも、いずれも確実に防止される。
【００１２】
更に、以上の構成によれば、システム全体の中で複数グループの（例えば３つのグループの）挿込式コネクタセットを使用し、互いに異なるグループの挿込式コネクタセットの間では、挿込結合を不可能にすることもできる。またその場合に、第１グループの挿込式コネクタセットの挿込式コネクタと相手側挿込式コネクタとは、それらコネクタの極数にかかわらず互いに挿込結合が可能であるようにし、ただし、誤って挿込結合がなされることによって問題が生じるような組合せについては、その挿込結合を行えないようにコーディングすることも可能である。また、少なくとも１つの別のグループの挿込式コネクタセットについてもそのようにすることができる。一方、システム全体の中で使用されていないグループの挿込式コネクタセットの挿込式コネクタないし相手側挿込式コネクタとの間では、極数にかかわらず挿込結合を不可能にすることができる。
【００１３】
また、これらのことは、別体の部材として形成したコーディング部材を用いることによって、システム全体の中に含まれている個々のグループの挿込式コネクタセットに対して適用するように拡張することができる。
【００１４】
挿込式コネクタセットのコーディングを容易に且つ高い信頼性をもって行えるようにするには、以上に加えて、或いは以上に替えて、前記挿込式コネクタの前記絶縁体ハウジングが、該絶縁体ハウジングの所要輪郭形状を有する外壁部により形成された複数のボックス穴と、それらボックス穴の内部空間に設けられて挿込方向へ突出しており所要輪郭形状を有する複数のコーディング突起とを備えているようにし、また、前記相手側挿込式コネクタの前記絶縁体ハウジングが、前記複数の所要輪郭形状を有するコーディング突起のうちの対応するコーディング突起が唯一の挿込可能位置において嵌合するようにした複数のコーディング穴を備えているようにするとよい。
【００１５】
また、コーディングを行うための、即ち、不適切な挿込結合を防止するための手段としては、所要輪郭形状を有する前記ボックス穴を備えるだけでなく、それに加えて更に、前記ボックス穴の内部空間に、所要輪郭形状を有するコーディング突起を備えるようにするとよく、そうすることで、前記ボックス穴の輪郭形状に適合する挿込式コネクタであっても、挿込結合に関する所定の条件に該当する場合には、その挿込結合を防止することが可能になる。特に、更なる手段として、前記ボックス穴の内部空間に所要輪郭形状を有するコーディング突起を備えることにより、夫々の前記ボックス穴の輪郭形状が互いに適合する挿込式コネクタと相手側挿込式コネクタとから成るシステムでも、所要輪郭形状を有するそれらコーディング突起を用いることで、複数の機能セクションの配列に関連して挿込結合を防止するコーディングを行うことが可能となる。
【００１６】
所要輪郭形状を有する前記複数のコーディング突起を前記複数のボックス穴の内部空間に設ける場合には特に、所要輪郭形状を有する外壁部の内面にそれらコーディング突起をじかに形成するよりも、所要輪郭形状を有する外壁部の内面から離して、前記ボックス穴の輪郭形状とは別個の形状として、前記複数のボックス穴の中に設けるようにするとよい。
【００１７】
前記複数の電極部材が部分的に前記複数のコーディング突起に受け入れられている（換言すれば、埋設されている）ようにすると特に有利である。こうすることで、前記ボックス穴の内部空間に設けられるコーディング突起を、前記挿込式コネクタセットのコーディングに利用するのみならず、前記電極部材を安定して支持する支持部としても利用することができる。
【００１８】
更に、前記複数のコーディング突起が、前記複数の電極部材が並ぶ方向に延在する長手方向延在部と、当該方向に対して直交する方向に延在する幅方向延在部とを有しているようにすると特に有利である。その幅方向延在部によって明確なコーディングを行うことができる。即ち、幅方向延在部を長手方向延在部の左側に設けることで横断面形状がＬ字形のコーディング突起とすることが考えられる。また、幅方向延在部を長手方向延在部の中央に設けることで横断面形状がＴ字形のコーディング突起とするのもよい。また、幅方向延在部を長手方向延在部の右側に設けることで横断面形状が逆Ｌ字形のコーディング突起とすることができる。
【００１９】
このように、長手方向延在部の所定の位置に幅方向延在部を設けることによって、コンパクトで耐久性を有するコーディング突起による、複数通りの（例えば３通りの）コーディングを容易に行うことができる。また、前記幅方向延在部によるコーディングの如何にかかわらず、前記長手方向延在部の位置に変化はないため、電極部材を固定支持する支持部として前記長手方向延在部を利用することができる。
【００２０】
次のような構成とすると特に有利であり、その構成とは、前記相手側挿込式コネクタの前記機能セクションの前記絶縁体ハウジング部分どうしが連結部を介して互いに連結されており、前記挿込式コネクタの前記機能セクションの前記絶縁体ハウジング部分の外壁部には、前記連結部に対応した切欠部が形成されており、該切欠部は、前記挿込式コネクタと前記相手側挿込式コネクタとが唯一の挿込可能位置において挿込結合される際に、該切欠部に対応した前記連結部を収容できるようにするものである。
【００２１】
この構成では、前記相手側挿込式コネクタの前記絶縁体ハウジングの個々の機能セクションの間を連結している連結部が、コーディングのための、即ち、不適切な挿込結合を防止するための、更なる手段として利用されている。また、前記絶縁体ハウジングは互いに離隔した複数の絶縁体ハウジング部分を有するものであり、それら絶縁体ハウジング部分は前記連結部のみを介して互いに連結されている。
【００２２】
また、前記挿込式コネクタのそれら複数の絶縁体ハウジング部分の夫々の外壁部の輪郭形状は、それら外壁部に形成されている切欠部に前記相手側挿込式コネクタの前記連結部が嵌合することにより、前記挿込式コネクタと前記相手側挿込式コネクタとが正しい相対位置となるような輪郭形状とされている。
【００２３】
更に、前記複数の電極部材が、互いに対向した一対の挟持突片を有する二叉形電極部材と、該二叉形電極部材に対応した平板形の刃状電極部材とが対を成すように構成されているようにすると有利である。この構成とした場合には、前記二叉形電極部材が、前記挿込式コネクタセットの一方の構成要素に（例えば前記相手側挿込式コネクタに）設けられ、それに対応した平板形の刃状電極部材部品が、前記挿込式コネクタセットの他方の構成要素に（例えば前記挿込式コネクタに）設けられる。
【００２４】
更に、前記二叉形電極部材は該二叉形電極部材を備える前記絶縁体ハウジングの中に挿込方向に対して直交する方向に並べられており、前記刃状電極部材は挿込結合に際して、前記二叉形電極部材の一対の挟持突片の間に画成された間隙へ、それら一対の挟持突片が張る（換言すれば、画定する）平面に対して直交する方向から挿入される構成とすることが好ましい。この構成によれば、前記刃状電極部材は、一般的な挿入方向である、二叉形電極部材の先端から挟持突片の根部へ向かう方向に挿入されるのではなく、当該方向に対して横方向に挿入される。尚、ここでいう「横方向」とは、二叉形電極部材の一対の挟持突片が張る平面に対して垂直な挿込方向だけを意味するものではなく、当該平面に対して角度を成す斜めの挿込方向をも意味するものである。
【００２５】
保護接地電極（ＰＥ極）との接続に関する保護機能を特に強化するためには、前記コーディング突起及び前記コーディング穴の、保護接地電極（ＰＥ極）の近傍領域における縦方向寸法をその他の領域の縦方向寸法より長くしておくとよい。そのようにすることで、例えばＰＥ極とその他の電圧が印加されている電極とが接続されることによる短絡状態の発生を、簡明にして非常に確実な方式で防止することができる。
【００２６】
更に、別体の部材として形成され、前記ボックス穴に挿込可能な、少なくとも１つの突出したコーディング突起を有するコーディング部材を備えるようにすると有利である。それによって、前記コーディング穴を通してアクセスされる前記ボックス穴の内部空間を、そのコーディング突起によって任意に閉塞することができ、これは通常のコーディング方法によってコーディングするのと同じであり、もって更なる保護手段が得られる。こうすることが特に有利であるのは、所定の機能セクションを、通常その機能セクションが用いられる機能とは別の機能のために任意に利用するような場合である。
【００２７】
以下に添付図面に即して本発明の実施の形態に付いて更に詳細に説明する。図面については以下の通りである。
【図面の簡単な説明】
【００２８】
【図１ａ】機能セクションを１つだけ備えた箱形の３極の挿込式コネクタの断面を底面側から見た図である。
【図１ｂ】図１ａに示した挿込式コネクタに対応した、機能セクションを１つだけ備えた箱形の３極の相手側挿込式コネクタを上面側から見た図である。
【図２ａ】２つの機能セクションを備えた５極の挿込式コネクタの断面を底面側から見た図である。
【図２ｂ】図２ａに示した挿込式コネクタに対応した、２つの機能セクションを備えた５極の相手側挿込式コネクタを上面側から見た図である。
【図３ａ】２つの機能セクションを備えた５極の挿込式コネクタの断面を底面側から見た図である。
【図３ｂ】図３ａに示した挿込式コネクタに対応した、２つの機能セクションを備えた５極の相手側挿込式コネクタを上面側から見た図である。
【図４ａ】３つの機能セクションを備えた７極の挿込式コネクタの断面を底面側から見た図である。
【図４ｂ】図４ａに示した挿込式コネクタに対応した、３つの機能セクションを備えた７極の相手側挿込式コネクタを上面側から見た図である。
【図５ａ】別の実施の形態に係る機能セクションを１つだけ備えた３極の挿込式コネクタの断面を底面側から見た図である。
【図５ｂ】図５ａに示した挿込式コネクタに対応した、機能セクションを１つだけ備えた３極の相手側挿込式コネクタを上面側から見た図である。
【図６ａ】別の実施の形態に係る２つの機能セクションを備えた５極の挿込式コネクタの断面を底面側から見た図である。
【図６ｂ】図６ａに示した挿込式コネクタに対応した、２つの機能セクションを備えた５極の相手側挿込式コネクタを上面側から見た図である。
【図７ａ】別の実施の形態に係る２つの機能セクションを備えた５極の挿込式コネクタの断面を底面側から見た図である。
【図７ｂ】図７ａに示した挿込式コネクタに対応した、２つの機能セクションを備えた５極の相手側挿込式コネクタを上面側から見た図である。
【図８ａ】別の実施の形態に係る３つの機能セクションを備えた７極の挿込式コネクタの断面を底面側から見た図である。
【図８ｂ】図８ａに示した挿込式コネクタに対応した、３つの機能セクションを備えた７極の相手側挿込式コネクタを上面側から見た図である。
【図９ａ】別の実施の形態に係る機能セクションを１つだけ備えた３極の挿込式コネクタの断面を底面側から見た図である。
【図９ｂ】図９ａに示した挿込式コネクタに対応した、３極の相手側挿込式コネクタを上面側から見た図である。
【図１０ａ】別の実施の形態に係る２つの機能セクションを備えた５極の挿込式コネクタの断面を底面側から見た図である。
【図１０ｂ】図１０ａに示した挿込式コネクタに対応した、２つの機能セクションを備えた５極の相手側挿込式コネクタを上面側から見た図である。
【図１１ａ】別の実施の形態に係る２つの機能セクションを備えた５極の挿込式コネクタの断面を底面側から見た図である。
【図１１ｂ】図１１ａに示した挿込式コネクタに対応した、２つの機能セクションを備えた５極の相手側挿込式コネクタを上面側から見た図である。
【図１２ａ】別の実施の形態に係る３つの機能セクションを備えた７極の挿込式コネクタの断面を底面側から見た図である。
【図１２ｂ】図１２ａに示した挿込式コネクタに対応した、３つの機能セクションを備えた７極の相手側挿込式コネクタを上面側から見た図である。
【図１３ａ】機能セクションを１つだけ備えた３極の挿込式コネクタ及び２つの機能セクションを備えた５極の挿込式コネクタの断面を底面側から見た図である。
【図１３ｂ】図１３ａに示した挿込式コネクタに対応した、３極の相手側挿込式コネクタ及び５極の相手側挿込式コネクタを上面側から見た図である。
【図１４ａ】図２ａに示した実施の形態と同様の構成の２つの機能セクションを備えた５極の挿込式コネクタの斜視図である。
【図１４ｂ】図１４ａに示した挿込式コネクタに対応した、図２ｂに示した実施の形態と同様の構成の相手側挿込式コネクタの斜視図である。
【図１５ａ】図１４ａに示した挿込式コネクタの上面図である。
【図１５ｂ】図１４ｂに示した相手側挿込式コネクタの上面図である。
【図１６】相手側挿込式コネクタのボックス穴に挿入して用いるコーディング部材の斜視図である。
【図１７】図１６に示したコーディング部材を相手側挿込式コネクタのボックス穴に挿入するところを示した斜視図である。
【図１８】コーディング部材を挿入した相手側挿込式コネクタの破断図である。
【発明を実施するための形態】
【００２９】
図１ａに示したのは、３極の挿込式コネクタ１の断面を底面側から見た図であり、この挿込式コネクタ１は所要輪郭形状を有する絶縁体ハウジング２を備えている。絶縁体ハウジング２には直方体の輪郭形状を有する３つのボックス穴３が形成されており、中央のボックス穴３の縦方向寸法は両側のボックス穴３の縦方向寸法より大きくしてある。
【００３０】
それら複数のボックス穴３の内部空間に更に、所要輪郭形状を有する複数のコーディング突起４が１つずつ備えられており、それらコーディング突起４は絶縁体から成り、絶縁体ハウジング２と一体的に形成されている。図から明らかなように、それら所要輪郭形状を有するコーディング突起４は、それらの輪郭形状が夫々にことなっている。左側のコーディング突起４は、内部空間の中央に位置する長手方向延在部３２を有しており、この長手方向延在部３２の左側から幅方向延在部３３が延出しており、それによって横断面形状がＬ字形をなしている。中央のコーディング突起４は、その長手方向延在部３２の中央から上方へ幅方向延在部３３が延出しており、それによって横断面形状がＴ字形をなしている。
【００３１】
右側のコーディング突起４は、長手方向延在部３２の右側から幅方向延在部３３が延出しており、それによって横断面形状が逆Ｌ字形をなしている。
【００３２】
各々のコーディング突起４には平板形電極部材５が植設されており、この平板形電極部材５はコーディング突起４の頂部より更に上方へ突出している。
【００３３】
更にこれも図から明らかなように、ボックス穴３どうしは切欠部６を介して互いに接続している。
【００３４】
図１ｂに示したのは、図１ａに示した挿込式コネクタ１に対応した相手側挿込式コネクタ７である。この相手側挿込式コネクタ７も、所要輪郭形状を有する絶縁体ハウジング８を備えており、この絶縁体ハウジング８の輪郭形状は、ボックス穴３及び切欠部６を含めた挿込式コネクタ１の絶縁体ハウジング２の輪郭形状に対応している。このように輪郭形状が対応しているため、相手側挿込式コネクタ７の所要輪郭形状を有する絶縁体ハウジング８は、挿込式コネクタ１の複数のボックス穴３に嵌合できるようになっている。
【００３５】
更に、所要輪郭形状を有する絶縁体ハウジング８は、複数のコーディング突起４の夫々に対応した複数のコーディング穴９を備えており、それらコーディング穴９の各々の中に、二叉形電極部材１０が突出している。このようにすることで、挿込式コネクタ１のコーディング突起４から突出している平板形電極部材５を、相手側挿込式コネクタ７の二叉形電極部材１０の一対の挟持突片の間に挿入して、それら２つの電極部材を電気接続できるようにしている。
【００３６】
図２ａは、図１ａに示した挿込式コネクタ１に、拡張を施して、更なる機能セクション１１ｂを付加した挿込式コネクタ１を示した図である。図から明らかなように、３極の機能セクション１１ａの左側に隣接した２極の機能セクション１１ｂを備えている。３極の機能セクション１１ａは、例えば電源電圧供給用の機能セクションとして用いられ、その場合には例えば、中央の電極部材は保護接地電極ＰＥとして、右側の電極部材をゼロ電位電極Ｎとして、そして左側の電極部材を供給電位電極Ｌとして用いられる。一方、左側の機能セクション１１ｂは、例えばデータ供給用の機能セクションとして用いられ、その場合には例えば、その２つの電極部材が、ＤＡＬＩ制御網における２つのデータ電極ＤＡ＋及びＤＡ−として用いられる。
【００３７】
左側の機能セクション１１ｂの絶縁体ハウジング部分は、右側の機能セクション１１ａの絶縁体ハウジング部分と同様に所要輪郭形状を有するものとされており、右側の機能セクション１１ａの絶縁体ハウジング部分に一体的に連結されている。また、左側の機能セクション１１ｂのボックス穴３の内部空間にも、右側の機能セクション１１ａと同様に、所要輪郭形状を有するコーディング突起４が備えられている。
【００３８】
不適切な挿込結合を防止するために、また特に、この挿込式コネクタが、相手側挿込式コネクタの正しい位置からずれた挿込位置に結合されるのを防止するために、互いに隣り合う電極部材である機能セクション１１ａの外側の電極部材５と機能セクション１１ｂの外側の電極部材５との間の間隔を、個々の機能セクション１１ａ、１１ｂの中において互いに隣り合う電極部材５どうしの間の間隔より大きくしてある。図から明らかなように、個々の機能セクション１１ａ、１１ｂの中における電極部材５のピッチ、即ち電極部材５どうしの間の間隔は全て同一である。これに対して、２つの機能セクション１１ａ、１１ｂに亘る電極部材５のピッチ、即ち互いに隣り合う２つの機能セクション１１ａ、１１ｂに亘って互いに隣り合う電極部材５どうしの間の間隔は、個々の機能セクション１１ａ、１１ｂの中において互いに隣り合う電極部材５どうしの間の間隔とは異ならせてある。
【００３９】
図２ｂに示したのは、図２ａに示した挿込式コネクタ１に対応した５極の相手側挿込式コネクタ７を上方から見た図である。図から明らかなように、機能セクション１１ａと１１ｂとは連結部１２を介して互いに連結されている。一方、挿込式コネクタ１の絶縁体ハウジング２は、この連結部１２を収容するための対応した切欠部６０を備えており、この切欠部６０の形成位置は、挿込式コネクタ１と相手側挿込式コネクタ７との相対位置が、唯一の挿込可能相対位置にあるときにのみ、挿込式コネクタ１と相手側挿込式コネクタ７との挿込結合を許容するような形成位置としてある。
【００４０】
図３ａに示したのは、別の実施の形態に係る５極の挿込式コネクタであり、この実施の形態は、図１ａに示した挿込式コネクタ１の右側に更なる機能セクション１１ｃを付設したものである。
【００４１】
図１〜図３に示した夫々の実施の形態に係る挿込式コネクタと相手側挿込式コネクタとから成るコネクタセットでは、不適切な挿込結合が行われるおそれが皆無ではない。不適切な挿込結合が行われるおそれは、所要輪郭形状を有する絶縁体ハウジング２により形成された複数のボックス穴３と、それらボックス穴３の内部空間に１つずつ設けられた複数の所要輪郭形状を有するコーディング突起４とだけでは、対処できない場合があり得る。そのために、第１機能セクション１１ａと第３機能セクション１１ｃとに亘って互いに隣り合う電極部材５どうしの間の間隔を、個々の機能セクション１１ａ、１１ｃの中における電極部材５のピッチよりも大きくしてあるのである。即ち、互いに隣り合う、第１機能セクション１１ａの電極部材５と第３機能セクション１１ｃの電極部材５との間の間隔を、個々の機能セクション１１ａ、１１ｃの中において互いに隣り合う電極部材５どうしの間の間隔よりも大きくしてある。これによって、正しい挿込位置からずれた挿込位置に誤って挿込結合されることが防止されるのである。
【００４２】
更にこれも図から明らかなように、第３機能セクション１１ｃのコーディング突起４はその横断面形状を逆Ｌ字形としているのに対して、図２ａに示した実施の形態における左側の機能セクション１１ｂのコーディング突起４はその横断面形状をＬ字形としている。このようにコーディング突起４の輪郭形状を異ならせていることによっても不適切な挿込結合が防止されており、より具体的には、例えばデータ伝送に用いられているために高電圧が印加されたならば被害を受ける左側の機能セクション１１ｂと、例えば電圧線（Ｌ’線及びＮ’線）によるバックアップ電源電圧の供給に用いられている右側の機能セクション１１ｃとが、誤って挿込結合されることなどが確実に防止される。
【００４３】
図３ｂに示したのは、図３ａに示した挿込式コネクタ１に対応した相手側挿込式コネクタ７である。図から明らかなように、この相手側挿込式コネクタ７でも、２つの機能セクション１１ａ、１１ｃの夫々に対応した２つの絶縁体ハウジング部分が連結部１２を介して互いに連結されているが、ただしこの相手側挿込式コネクタ７では、それら２つの絶縁体ハウジング部分は各々が独立した所要輪郭形状を有する部分として形成されている。
【００４４】
図４ａに示したのは、別の実施の形態に係る７極の挿込式コネクタ１であり、この実施の形態は上で説明した実施の形態と相互に関連して１つの全体システムを構成するものである。この実施の形態に係る挿込式コネクタ１は、互いに並設された３つの機能セクション１１ａ、１１ｂ、１１ｃを備えており、それらのうち、中央の機能セクション１１ａはＬ極、ＰＥ極、及びＮ極によって主電源電圧を供給するために用いられており、左側の機能セクション１１ｂはＤＡ＋データ供給極及びＤＡ−データ供給極によってデータを供給するために用いられており、右側の機能セクション１１ｃはＬ’極及びＮ’極によってバックアップ電源電圧を供給するために用いられている。
【００４５】
また、この実施の形態は、図２ａに示した実施の形態と、図３ａに示した実施の形態とを組合せて構成したものである。
【００４６】
図４ｂに示したのは、この挿込式コネクタに対応した相手側挿込式コネクタ７である。図から明らかなように、この相手側挿込式コネクタ７でも個々の機能セクション１１ａ、１１ｂ、１１ｃが連結部１２を介して互いに連結されており、それによって、１つの絶縁体ハウジング８から成る一体化された相手側挿込式コネクタが構成されている。
【００４７】
図１ａ〜図４ｂに示した実施の形態は、第１グループの挿込式コネクタセットを構成するものである。
【００４８】
図５ａ、図６ａ、図７ａ、及び図８ａに示したのは、以上の実施の形態に変更を加えた挿込式コネクタ１であり、また、図５ｂ、図６ｂ、図７ｂ、及び図８ｂに示したのは、それらに対応した相手側挿込式コネクタ７である。これらは上で説明したものとは別のグループの挿込式コネクタセットを構成するものである。
【００４９】
図５ａに示した３極の挿込式コネクタ１は、上で説明した第１グループの挿込式コネクタセットの構成要素である図１ａに示した３極の挿込式コネクタ１とは、ボックス穴３どうしを互いに接続する接続部の構成が異なっており、即ち、図５ａの挿込式コネクタ１では、ボックス穴３どうしを互いに接続する切欠部６の形成位置を、下方位置にしている。これによって、第１グループの挿込式コネクタセットの構成要素である図１ｂに示した相手側挿込式コネクタ７と、第２グループの挿込式コネクタセットの構成要素である図５ａに示した挿込式コネクタ１との挿込結合を不可能にしている。ただし、それらの間の挿込結合は、絶縁体ハウジング２の外周面が所要輪郭形状に形成され、ひいてはボックス穴３が所要輪郭形状に形成されていることでも防止されている。
【００５０】
その他の点に関しては、ボックス穴３の内部空間に設けられている所要輪郭形状を有するコーディング突起４についても、また、そこに設けられている電極５、１０についても、第１グループの挿込式コネクタセットと同様に構成されている。
【００５１】
以上と同様に、図６ａ、図６ｂ、図７ａ、及び図７ｂに示した５極の挿込式コネクタ及び相手側挿込式コネクタも、図２ａ〜図３ｂに示した第１グループの挿込式コネクタセットと略々同じ構成であり、ただし、互いに隣り合うボックス穴３の間の仕切壁に形成する切欠部６の形成位置を、第１グループの挿込式コネクタセットにおける形成位置と反対側の位置にしたものである。
【００５２】
その他の点に関しては、第１グループの挿込式コネクタセットについて上で説明したことがそのまま該当している。
【００５３】
図５ａ〜図８ｂに示した実施の形態は、第２グループの挿込式コネクタセットを構成するものである。
【００５４】
図９ａに示したのは、別の実施の形態に係る３極の挿込式コネクタ１であり、この挿込式コネクタ１は、互いに隣り合うボックス穴３の間の２枚の仕切壁に夫々に形成する切欠部６の形成位置を互いに反対側の位置にしたものである。これによって、図９ａに示した挿込式コネクタ１に対応した図９ｂに示した相手側挿込式コネクタ７は、上で説明した第１グループないし第２グループの挿込式コネクタセットの挿込式コネクタ１との挿込結合が不可能とされている。
【００５５】
「斜め挿し」ないし「１極挿し」と呼ばれる状態（即ち、１枚の電極部材５と１枚の電極部材１０とだけが接触している状態）を防止するために、図９ａに示した挿込式コネクタ１では、その複数のボックス穴３の中に夫々に設けられる複数のコーディング突起４の形状を夫々に異ならせている。これによって、図９ａに示した挿込式コネクタ１のボックス穴３が、図１ｂ及び図５ｂに示した相手側挿込式コネクタ７のボックス穴２２に嵌合されることがないようにしている。そして、これらによって、十全のコーディングが行われるようにしている。
【００５６】
図１０ａ、図１０ｂ、図１１ａ、及び図１１ｂに示したのは、上に説明した挿込式コネクタセットの変更例に係る５極の挿込式コネクタ及び相手側挿込式コネクタであり、上に説明した挿込式コネクタセットとは、第２機能セクション１１ｂ及び第３機能セクション１１ｃの所要輪郭形状を有するコーディング突起４の形状、並びに、それらコーディング突起４に対応したそれらコーディング突起４が嵌合するコーディング穴９の形状が異なっている。即ち、これら変更例では、第２機能セクションないし第３機能セクションに２つずつ設けられるコーディング突起４の形状を、以上に説明した挿込式コネクタセットのように、共にＬ字形、または共に逆Ｌ字形とするのではなく、２つずつのコーディング突起４の一方をＬ字形とし、他方を逆Ｌ字形としたものである。こうすることで、第３グループの挿込式コネクタセットの挿込式コネクタ及び相手側挿込式コネクタは、第１グループないし第２グループの挿込式コネクタセットのコネクタとの挿込結合が不可能とされている。挿込位置がずれて別の機能セクション１１ａ、１１ｂ、１１ｃとの間で不適切な挿込結合が行われることも防止されており、そのために、機能セクション１１ａと１１ｂの間で、また機能セクション１１ｂと１１ｃの間で、コーディング突起４どうしの間の間隔即ちピッチを、またコーディング突起４に対応したコーディング穴９どうしの間の間隔即ちピッチを、上で説明したように異ならせてあり、また更に、互いに隣り合うボックス穴３の間の仕切壁に形成する切欠部６の形成位置も異ならせてあり、これらによって確実に防止されるようにしている。
【００５７】
図１２ａは、別の変更例に係る３つの機能セクション１１ａ、１１ｂ、１１ｃを備えた７極の挿込式コネクタ１を示した図であり、変更されたのは、電源電圧の供給に用いられる中央の機能セクション１１ａの互いに隣り合うボックス穴３を接続している切欠部６の形成位置、それに、両外側の機能セクション１１ｂ及び１１ｃの所要輪郭形状を有するコーディング突起４の形状である。これらが異なることによって、この挿込式コネクタ１は、上で説明したグループの相手側挿込式コネクタ７との挿込結合が不可能とされている。
【００５８】
図１ｂに示したのは、図１ａの挿込式コネクタ１に対応した７極の相手側挿込式コネクタ７である。
【００５９】
図９ａ〜図１２ｂに示した実施の形態は、第３グループの挿込式コネクタセットを構成するものである。
【００６０】
以上に説明した３つのグループの挿込式コネクタセットでは、同一グループ内の挿込式コネクタセットの互いに機能が対応している機能セクション１１ａ、１１ｂ、１１ｃどうしだけが互いに挿込結合可能とされており、そのようにしているのは、かかる挿込結合にはリスクが伴わないからである。このことが特に顕著であるのは第３グループの挿込式コネクタセットであり、そこでは挿込式コネクタと相手側挿込式コネクタとの間の不適当な挿込結合は決して行われない。これは、リスクを伴う不適当な挿込結合が、コーディング条件によって完全に不可能にされているからである。
【００６１】
図１３ａ及び図１３ｂは、２組の挿込式コネクタセットを組合せて用いる場合の具体例を示したものである。この具体例では、図１ａに示した挿込式コネクタ１とそれに対応した図１ｂに示した相手側挿込式コネクタ７とが、主電源電圧の供給に用いられている。
【００６２】
また、この具体例では、第２機能セクション１１ｂを備えた図２ａに示した挿込式コネクタ１とそれに対応した図２ｂに示した相手側挿込式コネクタ７とが、三相交流の接続に用いられており、これに対して、図２ａ及び図２ｂに関連して説明した具体例では、挿込式コネクタ１の第２機能セクション１１ｂは、データ供給に用いられている。三相交流を接続するためには、相手側挿込式コネクタ７を例えば配線網側コネクタとして、この相手側挿込式コネクタ７の左側の機能セクション１１ｂの２個の電極部材１０を、更なる２つの位相の供給に用いるようにすればよく、それによってＬ１、Ｌ２、及びＬ３の、３つの位相を供給することができる。
【００６３】
ただし、そのようにして用いられている相手側挿込式コネクタ７（配線網側コネクタ）に、図２ａに関連して説明した具体例のように左側の機能セクション１１ｂがデータ供給に用いられている挿込式コネクタ１が挿込結合されたならば、システム上の問題を生じることになる。かかる事態を防止するために、コーディング穴９にコーディング部材３４が装着されている。このコーディング部材３４から突出するコーディング突起により、図１３ａに示した挿込式コネクタ１が、機能の割当て方が異なる相手側挿込式コネクタ７に挿込結合されることが防止されている。これによって、ある挿込式コネクタ１の機能セクション１１ｂの輪郭形状が、コーディング穴９にコーディング部材３４が装着された相手側挿込式コネクタ７の機能セクション１１ｂの輪郭形状に対応している場合に限り、その挿込式コネクタ１が相手側挿込式コネクタ７の電極部材１０にアクセスできるようにしている。そうでない挿込式コネクタ１にとっては、コーディング部材３４が装着されている接続箇所は、その他の２つの位相（Ｌ３及びＬ２、Ｌ３及びＬ１、または、Ｌ１及びＬ２）に対応したダミー接続箇所（接続機能を喪失した接続箇所）になる。
【００６４】
図１４ａに示したのは、挿込式コネクタ１の斜視図である。この挿込式コネクタ１は、その絶縁体ハウジング２の外壁部の挿込結合箇所に、夫々が所要輪郭形状を有する複数のボックス穴３が形成されている。更に、この図示した５極の挿込式コネクタ１は、図２ａの実施の形態に相当するものであり、２つの機能セクション１１ａ、１１ｂを備え、それらのうち第１機能セクション１１ａは、図２ａの実施の形態に関して説明したように電源電圧の供給に用いられており、第２機能セクション１１ｂは制御データを供給するデータバスの接続に用いられている。
【００６５】
複数のボックス穴３の中に、複数の平板状の電極部材５が１つずつ備えられており、それら電極部材５は、所要輪郭形状を有する複数のコーディング突起４の夫々の中に部分的に埋設されることによって、それらコーディング突起４に支持されている。それら平板状の電極部材５は刃状電極部材とも呼ばれるものであり、図示例では上方へ突出した先行接触領域２７を備えている。挿込結合に際しては、先ず、この先行接触領域２７が相手側挿込式コネクタ７の二叉形電極部材の先行接触領域４０に接触する。二叉形電極部材の先行接触領域４０は、二叉形電極部材の一対の先端部と根部との間の領域であり、一対の先端部には接触突起群が設けられている。この構成によれば、挿込結合に際してそれら電極部材の間でスパークが飛ぶ場合に、そのスパークはそれら電極部材の先行接触領域２７、４０の部分の間で飛ぶため、それら電極部材の主接触領域２８、１５は、スパークの影響を受けることがなく、従って焼損から防護されている。図から明らかなように、互いに対向している第１機能セクション１１ａの側方外壁部と第２機能セクション１１ｂの側方外壁部とに、夫々に切欠部６０が形成されており、それら切欠部６０は、相手側挿込式コネクタ７の第１機能セクション１１ａと第２機能セクション１１ｂとを連結している連結部１２が嵌合するものであるが、ただし、それら切欠部６０及び連結部１２は、コーディング機能を提供してはいない。
【００６６】
更に、これも図から明らかなように、２つの機能セクション１１ａ及び１１ｂに亘って互いに隣り合う電極部材５どうしの間の間隔は、個々の機能セクション１１ａ、１１ｂの中において互いに隣り合う電極部材５どうしの間の間隔より大きくしてある。即ち、個々の機能セクション１１ａ、１１ｂの中における電極部材のピッチは、それら機能セクション１１ａ、１１ｂの間での電極部材のピッチとは異ならせてある。
【００６７】
刃状電極部材５は、下方へ延在して、複数の配線引込開口３０を有する配線接続セクション２９の中まで延在しており、この配線接続セクションの中に、１つの刃状電極部材５に２本の配線を接続することのできる２線接続部が設けられている。これによって、配線の中間接続（配線の中間位置への電極部材の接続）が可能になっている。
【００６８】
図示した挿込式コネクタ１は、特に、電気機器への電気接続における機器側コネクタとして用いるのに適したものである。電気機器への電気接続は、この機器側コネクタ（挿込式コネクタ１）に、配線網側コネクタ（相手側挿込式コネクタ７）を挿込結合することによって行われる。
【００６９】
また、ボックス穴３の輪郭形状や所要輪郭形状を有するコーディング突起４などをはじめとするその他の部分の構成については、図２ａ及び図２ｂに関連して上で説明した通りである。
【００７０】
図１４ｂに示したのは、別の実施の形態に係る２つの機能セクション１１ａ、１１ｂを備えた５極の相手側挿込式コネクタ７の斜視図である。左側の機能セクション１１ａは、互いに近接して配設された２つの二叉形電極部材１０を備えており、一方、右側の機能セクション１１ａは、互いに近接して配設された３つの二叉形電極部材１０を備えている。
【００７１】
二叉形電極部材１０は公知構造のものであり、互いに対向する一対の挟持突片１４を有し、それら挟持突片１４は１つの平面を張っており、それら挟持突片１４の間に間隙が形成されることで、それら挟持突片１４の間に対応する刃状電極部材を挿入できるように構成されている。対応する刃状電極部材５は、それら挟持突片１４に設けられている接触突起群１５に接触する。
【００７２】
二叉形電極部材１０は、配線接続セクション１６の中へと延在し、その中の配線接続固定部まで延在している。配線接続固定部は、図示例ではバネの弾発力で固定する固定具で構成され、また特に、その固定具は複数本の配線を固定できるものであり、それによって例えば図示例のように少なくとも２つの並設された配線引込開口１７から引き込まれた電気配線を、二叉形電極部材１０に接続できるようにしている。
【００７３】
配線接続セクション１６の絶縁体ハウジング１８の中に備えられているバネの弾発力で固定する固定具の操作は、配線接続セクション１６の絶縁体ハウジングに揺動可能に取付けられている操作レバー１９によって行われる。
【００７４】
相手側挿込式コネクタ７は、配線網側コネクタとして用いることができるように構成されており、電気機器に挿込結合したときに、その電気機器に固定できるようにしてある。その固定のために、図示例では、孔を有するフランジ部として構成された固定部２０を備えており、この固定部２０を利用して、この相手側挿込式コネクタ７を電気機器のハウジングにネジ止めまたは鋲止めすることができる。また、この配線網側コネクタ（相手側挿込式コネクタ７）は、その係着部５０（図１４ｂ参照）を対応する電気機器の金具に係着することでも固定できるようにしてある。この相手側挿込式コネクタ７は、特に、照明器具の接続に用いるのに適しており、そのような場合には、この配線網側コネクタ（相手側挿込式コネクタ７）は接続配線を介して電源と照明制御用のデータバスとに接続される。
【００７５】
図から明らかなように、絶縁体ハウジング２の全体のうち、挿込式コネクタが挿込結合される挿込結合セクション２１は、所要輪郭形状を有するように形成されている。また更に、複数のボックス穴２２が形成されており、それらのうち、第１機能セクション１１ａの中央のボックス穴２２は、その他のボックス穴２２と比べて縦方向寸法を大きくしてある。この縦方向寸法の大きな中央のボックス穴２２の中に備えられている二叉形電極部材１０は、ＰＥ極（保護接地電極）として用いられている。ボックス穴２２どうしは連結部２３を介して互いに連結されており、ボックス穴２２の輪郭形状並びに連結部２３の幅寸法及び形成位置によってコーディング機能を有する輪郭形状が形成されており、それによって、その輪郭形状に対応した輪郭形状の挿込式コネクタ１が、その輪郭形状に対応した相対位置において挿込結合される場合に限り、その挿込結合が可能とされている。
【００７６】
更に、これも図から明らかなように、ボックス穴２２の内部空間は、所要輪郭形状を有するコーディング穴２４を画成しており、このコーディング穴２４には、この相手側挿込式コネクタ７に対応した挿込式コネクタ１の、このコーディング穴２４に対応した所要輪郭形状を有するコーディング突起が嵌合する。
【００７７】
更に、これも図から明らかなように、ボックス穴２２の内部空間には、互いに対向する一対の突起２５が突出している。それら一対の突起２５は、それらの一方の側で二叉形電極部材１０を支持していると共に、コーディング穴２４の内部空間を仕切る仕切り壁を画成することでコーディング機能を提供している。それら一対の突起２５は更に、別体の部材として形成されたコーディング部材３４を嵌合のために案内する機能も提供しており、これについては後に詳述する。
【００７８】
図１５ａに示したのは、図１４ａ及び図２ａにも示した挿込式コネクタ１の上面図である。この上面図から明らかなように、ボックス穴３の内部空間には、所要輪郭形状を有するコーディング突起４が突出しており、刃状電極部材５が配設されている。コーディング突起４はボックス穴３の内面からは離隔して絶縁体ハウジング２に一体に形成されており、刃状電極部材５はその屈曲部である保持部が絶縁体ハウジング２に固定されて支持されている。
【００７９】
また、これも図から明らかなように、所要輪郭形状を有するコーディング突起の横断面形状は、複数の刃状電極部材５の列設方向に延在する長手方向延在部３２と、その方向に対して横方向であって対応した相手側挿込式コネクタ７の二叉形電極部材１０の極板延展方向に延在する幅方向延在部３３とを有している。第１機能セクション１１ａの中央のボックス穴の横断面形状の幅方向延在部３３の長さは、その他のボックス穴の横断面形状の幅方向延在部３３の長さより大きくしてある。このことは、図示した実施の形態では特に、この中央のボックス穴の中に装備されているＰＥ極に対する誤接続を防止するのに役立っている。
【００８０】
長手方向延在部に対する幅方向延在部の位置を様々に異ならせることによって、コーディング突起４の横断面形状を、例えばＬ字形、Ｔ字形、或いは逆Ｌ字形とすることができ、それによって様々なコーディングが可能となっている。
【００８１】
図１５ｂに示したのは、図１４ｂ及び図２ｂに示した相手側挿込式コネクタ７の上面図である。この上面図から明らかなように、挿込式コネクタ１の刃状電極部材５は、二叉形電極部材１０に挿入される際に、二叉形電極部材１０の一対の挟持突片１４が張る平面に直交する方向から挿入される。挿込式コネクタ１の刃状電極部材５は、その先行接触領域２７が突出しているため、挿込結合に際しては、先ずその突出している先行接触領域２７が、相手側挿込式コネクタ７の二叉形電極部材１０の互いに対向して設けられている先行接触突起群４０に接触し、この先行接触突起群４０は、主接触突起群１５と一対の挟持突片１４の共通根部（不図示）との間に設けられている。図１４ａ及び図１５ａに示した挿込式コネクタが、図１４ｂ及び図１５ｂに示した相手側挿込式コネクタ７に完全に挿込結合されたときの主接触状態は、主接触突起群１５に接触することによって得られるものであり、主接触突起群１５は挟持突片１４の先端に沿って設けられている。これによって、主接触領域の焼損が生じないようになっている。
【００８２】
更にこれも図から明らかなように、主接触突起群１５は先行接触突起群４０と比べて、対向する突起どうしの間の間隙を小さくしてある。即ち、先行接触突起群４０の対向する突起どうしの間の間隙を、主接触突起群１５の対向する突起どうしの間の間隔より大きくしてある。これによって、主接触突起群１５を介して接続された主接触状態になった後には、主接触突起群１５だけを介して刃状電極部材１５と電気接続されており、先行接触突起群４０による並列的な接続経路は解消されているようにしている。
【００８３】
図１６ａに示したのは、別体の部材として形成された、相手側挿込式コネクタ７に装着して用いられるコーディング部材３４の斜視図である。コーディング部材３４は概略直方体形状の本体部３５を有し、この本体部３５からコーディング突起３６が突出しており、図示例では互いに隣接し互いに平行に延在する一対のコーディング突起３６が突出している。本体部３５の側縁には、案内溝部３７が形成されており、コーディング部材３４を相手側挿込式コネクタ７の対応するボックス穴２２に正しく挿入するとき、そのボックス穴２２に形成されている突起２５がこの本体部３５の案内溝部３７に嵌合し、それによって、ボックス穴２２に装着されるコーディング部材３４が、正しい位置に正しい姿勢で位置付けられるようにしている。
【００８４】
このように、コーディング部材３４を正しい位置に正しい姿勢で装着することができるようにしてあり、そのように装着することで、コーディング突起３６がコーディング位置に位置付けられ、そしてそのコーディング突起３６が、挿込式コネクタ１のコーディング突起４に対応した、この相手側挿込式コネクタ７のコーディング穴９に嵌合することによって、そのコーディング穴９を部分的に閉塞するようにしてある。
【００８５】
装着したコーディング部材３４を抜去できるようにするために、本体部３５の縁部には、例えばネジ回しなどの操作用工具を差し込むことのできる操作用スリット３８が形成されている。そのネジ回しなどの先端を操作用スリット部３８に引っかけることで、コーディング部材３５を相手側挿込式コネクタ７の絶縁体ハウジング２の上方へ抜去することができる。
【００８６】
図１７は、図１６に示したコーディング部材３４の斜視図であり、コーディング部材３４を相手側挿込式コネクタ７のコーディング穴９にまさに挿入しようとしている状態を示した図である。同図から明らかなように、コーディング突起３６の先端部分をコーディング穴９の内部空間に挿入することによって、本体部３５をコーディング穴９の上方部分に装着することができる。
【００８７】
図１８は、図１７に示した相手側挿込式コネクタ７の部分破断図であり、コーディング部材３４が挿入された状態を示した図である。相手側挿込式コネクタ７のコーディング穴９の一部分にコーディング突起３６が挿入され、それによってコーディング穴９が部分的に閉塞されている。また、コーディング部材３４の下方に位置している二叉形電極部材１０は、この二叉形電極部材１０の上方に位置しているコーディング部材３４によって覆われており、これによって、挿込式コネクタ１の刃状電極部材５がこの二叉形電極部材１０に接触できないようになっている。
【００８８】
図示した実施の形態のコーディング部材３４は、このコーディング３４を装着した接続セクションの接続機能を喪失させ、それによって、当該接続セクションを不適切な挿込結合から防護するものである。
【００８９】
図から明らかなように、コーディング部材３４は、その一対の溝部３７に一対の突起２５が嵌合するようにしてある。また、操作用スリット３８の機能は、容易に理解されるように、上方からアクセスできるスリットとすることで、相手側挿込式コネクタ７の絶縁体ハウジング２の上縁越しにこのスリットにネジ回しの先端を引っかけてコーディング部材３４を抜去可能にすることにある。
【図１ａ）】
2015516655.tif 000003
【図１ｂ）】
2015516655.tif 000004
【図２ａ）】
2015516655.tif 000005
【図２ｂ）】
2015516655.tif 000006
【図３ａ）】
2015516655.tif 000007
【図３ｂ）】
2015516655.tif 000008
【図４ａ）】
2015516655.tif 000009
【図４ｂ）】
2015516655.tif 000010
【図５ａ）】
2015516655.tif 000011
【図５ｂ）】
2015516655.tif 000012
【図６ａ）】
2015516655.tif 000013
【図６ｂ）】
2015516655.tif 000014
【図７ａ）】
2015516655.tif 000015
【図７ｂ）】
2015516655.tif 000016
【図８ａ）】
2015516655.tif 000017
【図８ｂ）】
2015516655.tif 000018
【図９ａ）】
2015516655.tif 000019
【図９ｂ）】
2015516655.tif 000020
【図１０ａ）】
2015516655.tif 000021
【図１０ｂ）】
2015516655.tif 000022
【図１１ａ）】
2015516655.tif 000023
【図１１ｂ）】
2015516655.tif 000024
【図１２ａ）】
2015516655.tif 000025
【図１２ｂ）】
2015516655.tif 000026
【図１３ａ）】
2015516655.tif 000027
【図１３ｂ）】
2015516655.tif 000028
【図１４ａ）】
2015516655.tif 000029
【図１４ｂ）】
2015516655.tif 000030
【図１５ａ）】
2015516655.tif 000031
【図１５ｂ）】
2015516655.tif 000032
【図１６）】
2015516655.tif 000033
【図１７）】
2015516655.tif 000034
【図１８）】
2015516655.tif 000035
【国際調査報告】
2015516655.tif 000036
2015516655.tif 000037
2015516655.tif 000038
2015516655.tif 000039
2015516655.tif 000040
2015516655.tif 000041